(57)【特許請求の範囲】
【請求項１】
第一筐体と第二筐体とが互いの端部に構成されたヒンジ部を介して開閉可能に軸支された折り畳み式携帯電話機において、
前記ヒンジ部には、互いの筐体に挿通されて接続し、導電性を有するヒンジ部材が設けられ、
前記第一筐体は、表示器と、当該表示器背面に設けられる板金部材と、当該表示器に給電を行う第一回路基板とが内部に設けられ、
前記第二筐体には、電源から給電される第二回路基板が内部に設けられ、
前記ヒンジ部材は、前記ヒンジ部内にて、一端が前記第二筐体側に挿通されると共に他端が第一筐体側に挿通されて互いの筐体の回動軸となる筒状の回動軸部を有し、
当該回動軸部の内部には、前記第一回路基板と前記第二回路基板とを基準電位を含んで電気的に接続し、前記第一筐体と前記第二筐体の開閉の際に形状が変化する連絡線が設けられ、
前記板金部材は、前記第一回路基板の基準電位に接続されると共に、前記ヒンジ部材と導通可能に当接されて、前記ヒンジ部材が、前記第一回路基板と前記第二回路基板のうちの前記第一回路基板とのみ導通していることを特徴とする携帯電話機。
【請求項２】
前記ヒンジ部材は、前記回動軸部の前記他端から前記第一筐体内部にて延在され、前記第一筐体に固定される固定部を有し、
前記板金部材は、前記表示器背面から当該背面外に延在される延在部を有し、前記延在部と前記固定部は、それぞれ開口を有し、前記第一筐体に共締めされて固定されることを特徴とする請求項１に記載の携帯電話機。
【請求項３】
前記第一回路基板は、前記板金部材に沿うように設けると共に、前記板金部材に対向する面に、基準電位層の一部が露出され、
前記板金部材は、前記第一回路基板に対向する面にて突出する凸部を設け、前記第一筐体内にて当該凸部と前記露出される前記基準電位層とが当接されることを特徴とする請求項２に記載の携帯電話機。
【請求項４】
前記第一筐体は、内部に前記表示器を固定する固定リブを有し、
前記固定リブは、前記表示器に加え、前記第一回路基板を前記表示器の背面に積層状態にて嵌合保持することを特徴とする請求項３に記載の携帯電話機。
【発明の詳細な説明】
【技術分野】
【０００１】
この発明は、二つの筐体が開閉可能に軸支される携帯電話機に関するものである。
【背景技術】
【０００２】
ヒンジ部によって２つの筐体が開閉可能に軸支される携帯電話機が例えば特許文献１などに開示されている。このような携帯電話機においては、一方の筐体（第一筐体）に表示器等の電子部品が内装され、他方の筐体（第二筐体）に回路基板やバッテリーが内装されており、この電子部品と回路基板とを電気的に接続するためのケーブルをヒンジ部の内部に形成された通路内に挿通される構成を用いているものがある。
【０００３】
このため、携帯電話機を開閉する度にケーブルの形状が変化する。しかしながら、このようなケーブルは、当然ながら導電材料で構成されており、携帯電話機の無線部にとっては、予め設けてあるアンテナと高周波的に結合してしまうなどして、ケーブルがアンテナとして機能してしまう場合もある。
そして、ケーブルの形状が開閉等で変化するとアンテナ特性が変化してしまうという現象が生じる。
これに対しては、ヒンジ部に嵌合された導電性の筒状部材を、バッテリーと電気的に接続している回路基板の基準電位に電気的に接続し、前述のケーブルをこの筒状部材内に挿通する構成とすることによって、ケーブルをシールドしてアンテナとして機能させないようにする技術が提案されている（特許文献２参照）。
【０００４】
また、近年の携帯電話機の表示器の大型化に伴い、表示器と表示器周辺の機器に外部からの静電気が侵入しやすくなり、静電気による誤動作が起こる虞がある。
そこで、ディスプレイの周囲に基準電位に接続された金属部材を設けてシールド効果を与えることにより、静電気による誤動作を防止する技術が提案されている（特許文献３参照）。
【特許文献１】特開２００３−１０１６２３号公報
【特許文献２】特開２００５−１１６７３５号公報
【特許文献３】特開２００３−１８２６４号公報
【発明の開示】
【発明が解決しようとする課題】
【０００５】
しかしながら、特許文献２に開示された技術では、バッテリーと電気的に接続している回路基板と筒状部材とを電気的に接続する必要があるが、第二筐体内に配された回路基板と筒状部材とを電気的に接続することは必ずしも容易ではなかった。
【０００６】
また、特許文献３に開示された技術では、ディスプレイそのものの静電対策が考慮されていないため、静電気によってディスプレイが破壊されることを防止することは困難であった。
【０００７】
本発明は、上述する問題点に鑑みてなされたもので、アンテナ特性を確保し、且つ、静電気によってディスプレイが破壊されることを防止できる携帯電話機を提供するものである。
【課題を解決するための手段】
【０００８】
上記の課題を解決するために、本発明は、第一筐体と第二筐体とが互いの端部に構成されたヒンジ部を介して開閉可能に軸支された折り畳み式携帯電話機において、前記ヒンジ部には、互いの筐体に挿通されて接続し、導電性を有するヒンジ部材が設けられ、前記第一筐体は、表示器と、当該表示器背面に設けられる板金部材と、当該表示器に給電を行う第一回路基板とが内部に設けられ、前記第二筐体には、電源から給電される第二回路基板が内部に設けられ、前記ヒンジ部材は、前記ヒンジ部内にて、一端が前記第二筐体側に挿通されると共に他端が第一筐体側に挿通されて互いの筐体の回動軸となる筒状の回動軸部を有し、当該回動軸部の内部には、前記第一回路基板と前記第二回路基板とを基準電位を含んで電気的に接続し、前記第一筐体と前記第二筐体の開閉の際に形状が変化する連絡線が設けられ、前記板金部材は、前記第一回路基板の基準電位に接続されると共に、前記ヒンジ部材と導通可能に当接されて、前記ヒンジ部材が、前記第一回路基板と前記第二回路基板のうちの前記第一回路基板とのみ導通していることを特徴とする。
このように構成することで、表示器背面に設けられた板金部材を基準電位にし、その板金部材を介して第一回路基板の基準電位に筒状部材が接続される。
【０００９】
また、本発明は、前記ヒンジ部材は、前記回動軸部の前記他端から前記第一筐体内部にて延在され、前記第一筐体に固定される固定部を有し、前記板金部材は、前記表示器背面から当該背面外に延在される延在部を有し、前記延在部と前記固定部は、それぞれ開口を有し、前記第一筐体に共締めされて固定されることを特徴とする。
このように構成することで、省スペースで板金部材とヒンジ部材とが導通可能に当接され、固定することが可能となる。
【００１０】
さらに、本発明は、前記第一回路基板は、前記板金部材に沿うように設けると共に、前記板金部材に対向する面に、基準電位層の一部が露出され、前記板金部材は、前記第一回路基板に対向する面にて突出する凸部を設け、前記第一筐体内にて当該凸部と前記露出される前記基準電位層とが当接されることを特徴とする。
このように構成することで、少スペースで第一回路基板の基準電位に板金部材が接続される。
【００１１】
また、本発明は、前記第一筐体は、内部に前記表示器を固定する固定リブを有し、前記固定リブは、前記表示器に加え、前記第一回路基板を前記表示器の背面に積層状態にて嵌合保持することを特徴とする。
このように構成することで、第一回路基板の基準電位と表示器背面に設けられた板金部材との接続を確実なものとすることができる。
【発明の効果】
【００１２】
本発明によれば、表示器背面に設けられた板金部材を基準電位にし、その板金部材を介して第一回路基板の基準電位に筒状部材が接続されるため、小型で容易にアンテナ特性を向上させ、表示器と表示器周辺の機器への外部からの静電気の侵入を防止できる効果がある。
【発明を実施するための最良の形態】
【００１３】
次に、この発明の実施形態を図面に基づいて説明する。
図１に示すように、携帯電子機器としての携帯電話機１は、いわゆる折り畳み式のものであり、テンキー２やカーソルキー３あるいはファンクションキー４等の複数の操作キーを備えた第二筐体６に、メイン表示ユニット７とサブ表示ユニット８とを表裏面に備えた第一筐体１０が、それぞれの基部に設けたヒンジ部１１ａ，１１ｂ，１１ｃを介して開閉可能に軸支されたものである。
【００１４】
第二筐体６には、制御部（ＣＰＵ）等を備えた第二回路基板１９が内装され、先端に通話用のマイクロフォン５が設けられている。また、複数の操作キーが露出する面の反対面には、第二回路基板１９と電気的に接続されるバッテリー５１が着脱可能に設けられている。
また、第一筐体１０の先端に通話用のスピーカー９が設けられている。
【００１５】
図２に示すように、第一筐体１０は、枠状に形成された樹脂製のケース１２と、樹脂製のカバー１３からなり、これらケース１２とカバー１３とがネジ４４ａ，４４ｂ，４４ｃ，４４ｄによって締結される構成となっている。
ケース１２とカバー１３との間には、ケース１２を介して露出するようにメイン表示ユニット７が設けられている。そして、メイン表示ユニット７の背面には、メイン表示ユニット７の補強用の板金部材１４が設けられている。
さらに、板金部材１４上には、カバー１３を介して露出するようにサブ表示ユニット８が設けられ、さらに、サブ表示ユニット８の周囲を囲むように第一回路基板１５が設けられている。
【００１６】
ケース１２には、メイン表示ユニット７の表示面２９と対応する部分に開口部２２が設けられている。その開口部２２のヒンジ部１１ａ，１１ｂと反対側には、通話用のスピーカー９が内装されている。
ケース１２の開口部２２両側縁には、第一回路基板１５と係合する係合爪１７ａ，１７ｂ，１７ｃ，１７ｄが設けられている。この係合爪１７ａ，１７ｂ，１７ｃ，１７ｄは、開口部２２内にメイン表示ユニット７、板金部材１４、および、第一回路基板１５を積層した状態で嵌合し、固定するものである。
【００１７】
また、開口部２２の両側縁には、カバー１３と係合する凸部４３ａ，４３ｂ，４３ｃ，４３ｄが設けられ、それぞれの凸部４３ａ，４３ｂ，４３ｃ，４３ｄがそれぞれの係合爪１７ａ，１７ｂ，１７ｃ，１７ｄより中央寄りに配設されている。これら凸部４３ａ，４３ｂ，４３ｃ，４３ｄの先端の開口部２２に向かう側（内側）には第一回路基板１５に係合するための係合部が、開口部２２の外側に向かう側（外側）には凹部が形成されている。
また、ケース１２の四隅には、上述したネジ４４ａ，４４ｂ，４４ｃ，４４ｄを挿通するためのネジ孔１８ａ，１８ｂ，１８ｃ，１８ｄが設けられている。
そして、ケース１２の基端両側には、第二筐体６に軸支されるヒンジ部１１ａ，１１ｂが突出して設けられ、ヒンジ部１１ａ，１１ｂの一方には、ヒンジ部材１６が内装されている。
【００１８】
図３に詳示するように、ヒンジ部材１６は、金属製の部材であって、その内部に第一回路基板１５と第二回路基板１９とに跨って接続される連絡線としての同軸ケーブル６４が挿入される挿通孔６３が形成されたものである。
ヒンジ部材１６は、筒状の円筒部６５と、その円筒部６５の一端側から外周に沿って軸方向に延出した延出部６６とが設けられたものであって、その延出部６６の一側から舌片部７５が突出して設けられている。
円筒部６５の他端側、つまり、第二筐体６のヒンジ部１１ｃ側には、ヒンジ部１１ｃに挿入されて回動可能に係合する回動軸部７４が設けられている。これら円筒部６５と回動軸部７４とに渡って挿通孔６３が設けられており、この挿通孔６３には、同軸ケーブル６４が挿通可能となっている。
【００１９】
舌片部７５の先端には、ネジ孔７９が形成され、このネジ孔７９の周辺を囲むようにリブ７６が舌片部７５から立ち上げ形成されている。また、リブ７６は、舌片部７５の一側に沿って突出している。さらに、舌片部７５と円筒部６５との間を跨ぐようにリブ７８が舌片部７５の他側に設けられている。
そして、このリブ７６とリブ７８との間、および、延出部６６に同軸ケーブル６４が配索されるようになっている。
【００２０】
メイン表示ユニット７は、ガラスで挟持された構造の液晶ディスプレイであるメイン表示器９０と、メイン表示器９０の周囲を囲むように設けられた枠状で樹脂製のホルダー２０とで構成されており、メイン表示器９０の表示面２９がケース１２の開口部２２に露出するように配置されている。
メイン表示ユニット７の一側には、第一回路基板１５と接続されるフレキシブル基板（ＦＰＣ）２１が接続されている。また、ホルダー２０の両側には、メイン表示ユニット７の背面に配設された板金部材１４と係合する係合爪２３ａ，２３ｂ，２３ｃ，２３ｄ，２３ｅが設けられている。
【００２１】
図４に詳示するように、板金部材１４は、メイン表示ユニット７の捩れ等を防止する補強材であって、外形が四角形であって、この四角形の平面部２５の各辺から側壁２６ａ，２６ｂ，２６ｃ，２６ｄを直角に折り曲げるようにして、一枚の板金から形成されたものである。
平面部２５の先端側には軽量化のための孔２７ａ，２７ｂが設けられ、基部側には、サブ表示ユニット８を収納する収納凹部２８が設けられている。
収納凹部２８には、先端側の両隅と基端側の中央寄りにサブ表示ユニット８を固定するための固定爪３２ａ，３２ｂ，３２ｃ，３２ｄが、板金を折り曲げることにより設けられている。また、収納凹部２８の中央から略先端側寄りには、軽量化のための孔３４が設けられている。
【００２２】
収納凹部２８の両側に近接する平面部２５上には、四つの凸部６９ａ，６９ｂ，６９ｃ，６９ｄが設けられている。これら凸部６９ａ，６９ｂ，６９ｃ，６９ｄは、第一回路基板１５上に設けられた基準電位パターンに導通可能に当接するものである。
また、平面部２５の基端両側には、平面部２５から突出する突出部６８ａ，６８ｂが設けられている。突出部６８ａ，６８ｂは、先端が平面円形状であって、その平面円形状の略中心にネジ孔６７ａ，６７ｂが形成されている。
板金部材１４の側壁２６ａ，２６ｂ，２６ｃ，２６ｄには、メイン表示ユニット７のホルダー２０に設けられた係合爪２３ａ，２３ｂ，２３ｃ，２３ｄ，２３ｅと対応する位置に係合孔３５ａ，３５ｂ，３５ｃ，３５ｄ，３５ｅがそれぞれ設けられている。
【００２３】
第一回路基板１５は、メイン表示ユニット７とサブ表示ユニット８とに給電等を行うものである。この第一回路基板１５の基部側には、サブ表示ユニット８の外形に対応するように開口した開口部３６が設けられ、先端にはケース１２のヒンジ部１１ａ，１１ｂ側とは反対方向に向かって突出する突出部８０ａ，８０ｂが設けられている。
開口部３６の突出部８０ａ，８０ｂ側には、サブ表示ユニット８に一端が接続されているフレキシブル基板（ＦＰＣ）３７の他端を接続するコネクタ３８が設けられている。
また、メイン表示ユニット７に一端が接続されているフレキシブル基板２１と対応する位置には、このフレキシブル基板２１の他端と接続するコネクタ３９が設けられている。
さらに、第一回路基板１５上のコネクタ３９とは反対側縁には、同軸ケーブル６４と接続されるコネクタ７０が設けられている。
【００２４】
同軸ケーブル６４は、細線同軸ケーブルと呼ばれる非常に細いケーブル複数で構成されており、この中の少なくとも一本は、その一端が第二回路基板１９の基準電位に接続している基準電位ラインが含まれている。
また、基準電位ラインの他端は、コネクタ７０を介して第一回路基板１５に接続され、これにより基準電位ラインは、基準電位を第一回路基板１５と第二回路基板１９の間で導通させている。尚、同軸ケーブル６４には、操作、表示、さらに、音声などの信号を供給するラインも含んでいる。
【００２５】
また、第一回路基板１５の両側には、ケース１２の凸部４３ａ，４３ｂ，４３ｃ，４３ｄに対応する位置に切欠き部４２ａ，４２ｂ，４２ｃ，４２ｄが設けられている。この切欠き部４２ａ，４２ｂ，４２ｃ，４２ｄは、ケース１２の凸部４３ａ，４３ｂ，４３ｃ，４３ｄの内側の係合部に係止されるものである。
ここで、メイン表示ユニット７のフレキシブル基板２１の配索位置と対応する切欠き部４２ｃは、フレキシブル基板２１が配索可能な大きさを有している。
第一回路基板１５の四隅には、ケース１２の係合爪１７ａ，１７ｂ，１７ｃ，１７ｄに対応する位置に切欠き部４５ａ，４５ｂ，４５ｃ，４５ｄが設けられ、第一回路基板１５とケース１２とを係合するようになっている。
【００２６】
図５に示すように、開口部３６の両側に近接する第一回路基板１５上には、金属パターンが露出した当接部８１ａ，８１ｂが形成されている。
先述したように、第一回路基板１５は、コネクタ７０を介して基準電位を含み、電源系統が供給されており、多数の各種電源系、信号系の電力供給される金属パターンを有している。
当接部８１ａ，８１ｂは、この第一回路基板１５における基準電位に電気的に接続したものであって、板金部材１４上に設けられた凸部６９ａ，６９ｂ，６９ｃ，６９ｄに対応する位置に配設している。
また、第一回路基板１５上の当接部８１ａ，８１ｂを除く部分には、レジスト８２ａ，８２ｂにより絶縁処理が施されている。
【００２７】
図２に示すように、サブ表示ユニット８は、ガラスで挟持された構造の液晶ディスプレイであるサブ表示器９１と、サブ表示器９１を覆うようにゴム製の材料で一体成型されたホルダー３１と、サブ表示器９１に接続されるフレキシブル基板（ＦＰＣ）３７とで構成されている。
ホルダー３１の先端側（スピーカー９側）と基端側（ヒンジ部１１ａ，１１ｂ側）には、板金部材１４に設けられた固定爪３２ａ，３２ｂ，３２ｃ，３２ｄと対応する位置に固定孔４７ａ，４７ｂ，４７ｃ，４７ｄがホルダー３１を貫通して形成されている。
また、ホルダー３１には、表示器９１の表示面３０と対応する位置に開口部３３が設けられている。
【００２８】
カバー１３には、サブ表示器９１の表示面３０に対応する部分に窓２４が設けられている。
カバー１３の基端両側には、ケース１２のヒンジ部１１ａ，１１ｂを覆うヒンジカバー５６ａ，５６ｂが突出して設けられ、カバー１３の両側には、ケース１２の凸部４３ａ，４３ｂ，４３ｃ，４３ｄに対応する位置に、凸部４３ａ，４３ｂ，４３ｃ，４３ｄに係合する係合突起５７ａ，５７ｂ，５７ｃ，５７ｄが設けられている。
また、カバー１３の四隅には、ネジ４４ａ，４４ｂ，４４ｃ，４４ｄに対応する位置に、ネジ部５８ａ，５８ｂ，５８ｃ，５８ｄが設けられている。
【００２９】
これにより、カバー１３は、係合突起５７ａ，５７ｂ，５７ｃ，５７ｄがケース１２の凸部４３ａ，４３ｂ，４３ｃ，４３ｄと係合し、且つ、ネジ部５８ａ，５８ｂ，５８ｃ，５８ｄがネジ４４ａ，４４ｂ，４４ｃ，４４ｄによってケース１２と締結することで、確実にケース１２上を閉塞するようになっている。
また、板金部材１４の側壁２６ａ，２６ｂ，２６ｃ，２６ｄに設けられた凸部３５ａ，３５ｂ，３５ｃ，３５ｄ，３５ｅと、メイン表示ユニット７のホルダー２０に設けられた係合爪２３ａ，２３ｂ，２３ｃ，２３ｄ，２３ｅとによって、板金部材１４にメイン表示ユニット７が係合され、一体となる。
【００３０】
さらに、図６に示すように、メイン表示ユニット７と一体になった板金部材１４のヒンジ部１１ａ，１１ｂ側に設けられた突出部６８ａ，６８ｂとヒンジ部材１６の延出部６６とが当接し、ケース１２とカバー１３と共に、ネジ４４ａ，４４ｄによって締結固定され、板金部材１４とヒンジ部材１６とが導通可能に接続される。
そして、図７に示すように、板金部材１４に第一回路基板１５が被覆され、しかも凸部４３ａ，４３ｂ，４３ｃ，４３ｄによりケース１２の開口部２２側にメイン表示ユニット７と、板金部材１４と、第一回路基板１５とを一まとめにする形で一体化に把持するため、板金部材１４に設けられた凸部６９ａ，６９ｂ，６９ｃ，６９ｄと、第一回路基板１５上の当接部８１ａ，８１ｂとが当接される。
また、第一回路基板１５の切欠き部４５ａ，４５ｂ，４５ｃとケース１２の係合爪１７ａ，１７ｂ，１７ｃ，１７ｄとによっても、ケース１２の開口部２２内にメイン表示ユニット７、板金部材１４および第一回路基板１５が積層された状態で嵌合されるため、凸部６９ａ，６９ｂ，６９ｃ，６９ｄと当接部８１ａ，８１ｂとは、より密着し、抵抗値は下がる。
【００３１】
したがって、上述の実施形態によれば、第一回路基板１５上の基準電位に電気的に接続された当接部８１ａ，８１ｂと、板金部材１４に設けられた凸部６９ａ，６９ｂ，６９ｃ，６９ｄとが当接されることにより、板金部材１４が基準電位になる。
また、板金部材１４と導通可能に接続されたヒンジ部材１６を基準電位にすることができるため、アンテナ特性を向上できる効果がある。
しかも、板金部材１４と、ヒンジ部材１６との接続が、ネジ４４ａ，４４ｄで共締めされるので、多少の捩れでも接触を保つことができる。
【００３２】
また、凸部６９ａ，６９ｂ，６９ｃ，６９ｄと当接部８１ａ，８１ｂとの当接方向がケース１２とカバー１３とのネジ４４ａ，４４ｂ，４４ｃ，４４ｄによる締結方向と一致するため、締結により、より確実な接触を確保することができる。
また、メイン表示ユニット７の裏側に配設された板金部材１４が基準電位になっているため、外部からメイン表示ユニット７への静電気の侵入を防止できる効果を奏することができる。
【００３３】
さらに、メイン表示ユニット７がセットされたホルダー２０と板金部材１４とが係合されて一体となり、さらに、その板金部材１４の突出部６８ａ，６８ｂがケース１２とカバー１３と共に、ネジ４４ａ，４４ｄによって締結固定されることで、第一筐体１０と一体化することができる。このため、板金部材１４やメイン表示ユニット７の剛性を確保することができ、携帯電話機を薄く、小型化できる効果がある。
そして、落下等の衝撃によるメイン表示ユニット７の飛散も第一筐体１０に一体化された板金部材１４によって防止することができる効果がある。
【００３４】
尚、この発明は上述した実施形態に限られるものではなく、メイン表示器７やサブ表示器８は、ガラスで挟持された構造の液晶ディスプレイである場合について説明したが、ＥＬ（Ｅｌｅｃｔｒｏ  Ｌｕｍｉｎｅｓｃｅｎｃｅ）ディスプレイとしてもよい。
【００３５】
また、上記実施形態では、メイン表示ユニット７と、サブ表示器９１とにフレキシブル基板（ＦＰＣ）２１，３７が接続された場合について説明したが、フレキシブル基板（ＦＰＣ）２１，３７に代えて他のフレキシブル基板（ＦＦＣ）や同軸ケーブルおよびフラットケーブルが接続された場合であっても同様の効果を奏することができる。
【００３６】
さらに、上記実施形態では、第一回路基板１５と第二回路基板１９とに跨って同軸ケーブル６４が接続された場合について説明したが、同軸ケーブル６４に代えてフレキシブル基板（ＦＦＣ，ＦＰＣ）およびフラットケーブルが接続された場合であっても同様の効果を奏することができる。
そして、上記実施形態では、サブ表示器９１にゴム製の材料で一体成型したホルダー３１を用いた場合について説明したが、スポンジや軟質樹脂で一体成型したホルダーとしてもよい。
また、上記実施形態では、ヒンジ部材１６に金属製の部材を用いた場合について説明したが、金属製の部材に代えて、非導電性の部材とし、その非導電性の部材の表面に導電性の塗装を施したもの、もしくは、金属製の部材の表面に導電性の塗装を施したものでもよい。
【図面の簡単な説明】
【００３７】
【図１】本発明の実施形態における折り畳み式携帯電話機の斜視図である。
【図２】本発明の実施形態における第一筐体の構成分解図である。
【図３】本発明の実施形態におけるヒンジ部材の斜視図である。
【図４】本発明の実施形態における板金部材の平面図である。
【図５】本発明の実施形態における第一回路基板の平面図である。
【図６】本発明の実施形態における板金部材とヒンジ部材の接続状態を示す平面図である。
【図７】本発明の実施形態における第一回路基板と板金部材の凸部とを当接した状態を示す断面図である。
【符号の説明】
【００３８】
１…携帯電話機、６…第二筐体、７…メイン表示ユニット、１０…第一筐体、１１ａ…ヒンジ部、１１ｂ…ヒンジ部、１１ｃ…ヒンジ部、１４…板金部材、１５…第一回路基板、１６…ヒンジ部材、１７ａ…係合爪（固定リブ）、１７ｂ…係合爪（固定リブ）、１７ｃ…係合爪（固定リブ）、１９…第二回路基板、５１…バッテリー（電源）、６４…同軸ケーブル（連絡線）、６８…突出部（延在部）、６９ａ…凸部、６９ｂ…凸部、６９ｃ…凸部、６９ｄ…凸部、７４…回動軸部、７５…舌片部（固定部）、８１…当接部、９０…メイン表示器（表示器）
【図１】
0004563943.tif 000002
【図２】
0004563943.tif 000003
【図３】
0004563943.tif 000004
【図４】
0004563943.tif 000005
【図５】
0004563943.tif 000006
【図６】
0004563943.tif 000007
【図７】
0004563943.tif 000008